(57)【特許請求の範囲】
【請求項１】
液密層を有し円筒状に膨張したり帯状に潰れたりできる可撓性を有する筒状部材を備え、
前記筒状部材の両端部を閉止して内部に液体を注入して円筒状に膨張した状態で海や河川等の堤防の天端面上に沿って連続して設けた遮水壁構造であって、
前記筒状部材は、海や河川等の水域側とは反対の方向に移動しないように前記堤防の天端面上に固定され、
前記筒状部材の外側周囲に設けられ、膨張後の筒状部材と前記堤防の天端面との間の隙間を覆って塞ぐ遮水シート部材を備え、
前記遮水シート部材の側縁部が、前記筒状部材よりも海や河川等の水域側に配置されて前記堤防の天端面上に固定された
ことを特徴とする遮水壁構造。
【請求項２】
円筒状に膨張したり帯状に潰れたりできる可撓性を有する筒状部材と、
前記筒状部材の内部に封入された膨張剤とを備え、
前記筒状部材の内部に液体を注入して前記膨張材を膨張させることにより筒状部材を膨張させた状態で海や河川等の堤防の天端面上に沿って連続して設けた遮水壁構造であって、
前記筒状部材は、海や河川等の水域側とは反対の方向に移動しないように前記堤防の天端面上に固定され、
前記筒状部材の外側周囲に設けられ、膨張後の筒状部材と前記堤防の天端面との間の隙間を覆って塞ぐ遮水シート部材を備え、
前記遮水シート部材の側縁部が、前記筒状部材よりも海や河川等の水域側に配置されて前記堤防の天端面上に固定された
ことを特徴とする遮水壁構造。
【請求項３】
円筒状に膨張したり帯状に潰れたりできる可撓性を有する筒状部材を用いて、
帯状に潰れた状態の前記筒状部材を海や河川等の堤防の天端面上に沿って連続して設け、
前記筒状部材の両端部を閉止し内部に液体を注入して円筒状に膨張した状態にすることにより
遮水壁構造を構築するようにした遮水壁構築工法であって、
前記筒状部材を海や河川等の水域側とは反対の方向に移動しないように前記堤防の天端面上に固定し、
膨張後の前記筒状部材と前記堤防の天端面との間の隙間を覆うように前記筒状部材の外側周囲に遮水シート部材を設け、
前記遮水シート部材の側縁部を前記筒状部材よりも海や河川等の水域側に配置して前記堤防の天端面上に固定する
ことを特徴とする遮水壁構築工法。
【請求項４】
前記筒状部材の内面にゴム系材料又はプラスチック系材料の皮膜層からなる液密層を形成することを特徴とする請求項３に記載の遮水壁構築工法。
【発明の詳細な説明】
【０００１】
【発明の属する技術分野】
本発明は、海や河川等の堤防からの越水による住宅地や地下構造物等の浸水防止を目的として緊急時に堤防の天端高さを嵩上げするために用いる、遮水壁構造及び遮水壁構築工法に関するものである。
【０００２】
【従来の技術】
例えば洪水時に河川水位が上昇して危険水位を超えるような場合には、迅速に堤防の天端面の嵩上げが必要となる。緊急時であることから、取り扱いが容易で迅速に一定の遮水機能を有する壁体を構築する必要がある。
【０００３】
従来の越水防止工法や浸水防止工法としては、一般的には、土嚢（どのう）袋に土砂を詰め込み、堤防の天端面上に順次横並びにして積み重ねていくことにより、所望の高さの壁体を構築することができる積土嚢工法が用いられている。
【０００４】
この積土嚢工法に使用する土嚢袋は、緊急時に備えて保管しておく必要があることから、土砂を詰めておかずに空のコンパクトな状態で堤防付近の保管場所に保管、備蓄している。従って、災害の危険が生じてから土砂の調達を行い、土嚢袋に土砂を詰め、それを積み上げて遮水壁体を構築している。
【０００５】
【発明が解決しようとする課題】
しかしながら、土嚢袋に詰める土砂の搬入が、市街地への輸送手段や交通路等の問題で短時間では困難な場合があると共に、土嚢の製造から遮水壁体の構築を短時間で行わなければならないことから多くの人手を要するなどの問題があり、対応に手間取って災害に結び付くことも少なくない。
【０００６】
さらに、積み上げられた土嚢袋はそれぞれが独立しており、特別に個々を結合していないことから、土嚢袋間に小さな隙間が必然的に生じ、そこから水が漏れ出したり、越水の度合いで水圧により積み上げられた土嚢が崩壊し、押し流されるおそれがあるなどの問題が生じている。
【０００７】
そこで本発明は、上記問題点に鑑みて、遮水壁構造を迅速にかつ小人数で構築でき、さらには水漏れや崩壊が生じることのない連続した遮水壁構造及び遮水壁構築工法を提供することを課題とするものである。
【０００８】
【発明を解決するための手段】
上記課題を解決するために、本発明による遮水壁構造は、次のような構成としたものである。
【０００９】
（１）  液密層を有し円筒状に膨張したり帯状に潰れたりできる可撓性を有する筒状部材を備え、
前記筒状部材の両端部を閉止して内部に液体を注入して円筒状に膨張した状態で海や河川等の堤防の天端面上に沿って連続して設けた遮水壁構造であって、
前記筒状部材は、海や河川等の水域側とは反対の方向に移動しないように前記堤防の天端面上に固定され、
前記筒状部材の外側周囲に設けられ、膨張後の筒状部材と前記堤防の天端面との間の隙間を覆って塞ぐ遮水シート部材を備え、
前記遮水シート部材の側縁部が、前記筒状部材よりも海や河川等の水域側に配置されて前記堤防の天端面上に固定されたことを特徴とする遮水壁構造。
（２）  円筒状に膨張したり帯状に潰れたりできる可撓性を有する筒状部材と、
前記筒状部材の内部に封入された膨張剤とを備え、
前記筒状部材の内部に液体を注入して前記膨張材を膨張させることにより筒状部材を膨張させた状態で海や河川等の堤防の天端面上に沿って連続して設けた遮水壁構造であって、
前記筒状部材は、海や河川等の水域側とは反対の方向に移動しないように前記堤防の天端面上に固定され、
前記筒状部材の外側周囲に設けられ、膨張後の筒状部材と前記堤防の天端面との間の隙間を覆って塞ぐ遮水シート部材を備え、
前記遮水シート部材の側縁部が、前記筒状部材よりも海や河川等の水域側に配置されて前記堤防の天端面上に固定されたことを特徴とする遮水壁構造。
【００１０】
上記（１），（２）のような構成の遮水壁構造によれば、円筒状に膨張したり帯状に潰れたりできる可撓性を有する筒状部材を用いて、まず、帯状に潰れた状態の筒状部材を海や河川の堤防の天端面上に沿って連続して設け、この筒状部材の両端部を閉止し内部に液体を注入して円筒状に膨張した状態にすることにより遮水壁構造を構築することができる。このため、遮水壁構造を迅速にかつ小人数で構築でき、さらには水漏れや崩壊が生じることのない遮水壁構造を連続して構築することができる。
【００１１】
【発明の実施の形態】
以下、本発明の実施の形態について、図面に基づいて具体的に説明する。
図１ないし図３は、本発明による遮水壁構造及び遮水壁構築工法の第１の実施の形態について説明するために参照する図である。
【００１２】
図１は、筒状織布５（筒状部材）内に水７（液体）を注入して筒状織布５を膨張させて、それを遮水壁構造に用いた状態を示す図である。筒状織布５内には、アクリル酸ナトリウム−ビニルアルコール共重合体等からなる水吸収高分子材（膨張剤）を含んだ保持材６（不織布等）が互い違いに折り畳んで収納され、この保持材６の水吸収高分子材が水７を吸収して膨張することにより、筒状織布５が膨張するようになっている。
【００１３】
図２に示すように、軸線方向に長く伸びて形成された筒状織布５の一端部には、筒状織布５内に水を注入するための注水口１１と、水を注入するときに筒状織布５内の空気を逃がすための空気抜き口１２を有する注水蓋１４が設けられている。また注水口１１には、筒状織布５内に水を注入した後で水が漏れないように閉止するバルブ１３が設けられている。そして筒状織布５の他端部同士は接続金具１６と一対の締め付け金具１５を用いて互いに接続されている。
【００１４】
筒状織布５自身は軽量なポリエステル繊維等で織られており、人力や小型トラックなどの小機械で、運搬や取り扱いが可能な単位とする。従って、遮水壁構造を構築する材料として、一般的な積土嚢工法で用いられているような土砂の供給が困難な場所でも、遮水壁構造の構築が容易に可能となるようにするものである。
【００１５】
このような筒状織布５は、図１に示すように、海や河川等の側縁部の堤防８の天端面（上面）上に固定されて設けられる。筒状織布５の周面から堤防８の天端面にかけては、伸縮可能な遮水シート部材３が覆うように設けられており、この遮水シート部材３はナイロン織布の裏面にシリコンゴム等のライニング４が施されることにより、その遮水シート部材３に水密層（液密層）が形成されている。
【００１６】
また遮水シート部材３はその他に、少なくとも片面に水密層が形成されたものであり、例えばポリアミド製シート部材に、シリコンゴムの他、塩化ビニル樹脂等をコーティングしたものが使用される。
【００１７】
筒状織布５及び遮水シート部材３はその長さ方向（図１中紙面に垂直方向）に連続しているが、その長さ方向に所定間隔をおいて部分的にバンド２が設けられており、このバンド２はその中央部が筒状織布５及び遮水シート部材３の周囲に巻き回されて、その両端部はその間に遮水シート部材３の側縁部を挾んだ状態で、アンカー杭１により堤防８上に固定されている。
【００１８】
このような遮水壁構造を構築するための遮水壁構築工法について以下に説明する。
まず、帯状に潰れた状態の筒状織布５をリール等に一定長さ巻き取ったものを準備し、その筒状織布５をリール等から巻き解いて堤防天端面の長さ方向に沿って引出しながら、海や河川等の堤防８の天端面上に沿って連続して設ける。
【００１９】
そして、次に図２に示すように、筒状部材の両端部に注水蓋１４、締め付け金具１５、或は接続金具１６を取り付ける。その後に筒状織布５内に水などの液体をポンプにより注入して、筒状織布５を膨張させることにより、遮水壁構造を構築することができ、堤防８の天端面を嵩上げすることができる。
【００２０】
このような本実施の形態に係る遮水壁構造及び遮水壁構築工法によれば、図３に示すように、海や河川等の水位１０が堤防８の天端面を越えて上昇したときでも、膨張した状態の筒状織布５により海や河川等の水は堰き止められて越水を防止することができる。
【００２１】
遮水壁構造に対して水位が低い場合は筒状織布５内に封入した水の重量で静水圧に対抗できるが、遮水壁構造に対して水位が高くなった場合は筒状織布５が移動、変形する可能性が高くなる。しかし本実施の形態に係る遮水壁構造は、バンド２の中央部が筒状織布５及び遮水シート部材３の周囲に巻き回されて、バンド２の両端部はその間に遮水シート部材３の側縁部を挾んだ状態でアンカー杭１により堤防８上に固定されているので、筒状織布５の移動や変形を防止することができる。
【００２２】
また、遮水シート部材３を設けたことにより、筒状織布５と堤防８の天端面との間からの水漏れや、筒状織布５の変形、移動、損傷等を確実に防止することができると共に、遮水壁構造の安定性を一層向上させることができる。そして、図３に示すように、筒状織布５より海や河川等の側の水圧９の作用で堤防８の天端面と遮水シート部材３が密着することとなり、筒状織布５と堤防８の天端面との間の遮水効果をより高めることができる。
【００２３】
また、遮水シート部材３に加わっている水圧９により、遮水シート部材３と筒状織布５の外周面との間に摩擦力が働き、遮水シート部材３が筒状織布５を河川方向に巻き込む力が加わり、前述のバンド２との間、もしくはアンカー杭１との間の筒状織布５のたわみを防止し、より筒状織布５の位置を安定させることができる。したがって、越水した河川がかなりの流れを有する場合には、特に有効な手段である。
【００２４】
また、遮水シート部材３は、その一端部を予め筒状織布５に縫製等により一体化しておいてもよく、その場合は施工安定性をより増すことができる。
【００２５】
このように本実施の形態に係る遮水壁構造及び遮水壁構築工法によれば、従来の積土嚢工法に比べて、遮水壁構造を迅速にかつ小人数で構築でき、さらには水漏れや崩壊が生じることのない連続した遮水壁構造を構築することができる。
【００２６】
図４は、本発明の第２の実施の形態について説明するために参照する図である。
前記第１の実施の形態にあっては、筒状織布５内の保持材６に水を吸収させて膨張させることにより筒状織布５を膨張させたのに対し、この第２の実施の形態においては、筒状織布５の内周面にシリコンゴム等からなるライニング４を施し、注入した水７が外部に浸出しないようにして、その内部に水７を注入することにより筒状織布５を膨張させた点において異るものである。このような第２の実施の形態によっても、前記第１の実施の形態と同様の効果を得ることができる。
【００２７】
なお、前記実施の形態に係る筒状織布５はポリエステル繊維の織物により構成されていたが、本発明に用いられる筒状部材は、織物以外に、編物、組み物、不織布から構成されてもよく、特に耐圧性や形状保持性から織布を用いることが好ましい。使用する糸は、耐水性および耐摩耗性の良いものから選定し、ポリエステル繊維の他に、ポリアミド繊維等を用いることが好ましい。
【００２８】
また、筒状織布５の内周面側に水密層を形成するだけでなく、筒状織布５の外周面上に薄膜チューブを被せたり皮膜層を形成して、筒状織布５の内外面共に水密層を形成しても良い。上記薄膜チューブの材質としては、耐久性や耐水性より、ポリオレフィン樹脂とポリアミド樹脂の積層品を用いることが好ましい。
【００２９】
また、上記皮膜層としては、取り扱い性や軽量性、さらに耐水性等から、熱可塑性エラストマー樹脂、例えばポリエステル系エラストマーやポリオレフィン系エラストマー等を用いることが好ましい。特にポリオレフィン系エラストマーの中で、低密度ポリエチレン樹脂を用いることで、上述した効果の他に耐環境性、筒状部材との接着性等が向上するので好ましい。
【００３０】
また、前記第１の実施の形態で用いたような膨張剤としては、筒状織布５内部に注入する流体との接触により物理的反応で膨張するものが使用され、注入する流体の種類に合わせて適宜選定することが好ましい。例えば水を使用する場合には、水吸収性樹脂であるアクリル酸ナトリウム−ビニルアルコール共合体の他には、ウレタン系膨張剤等が使用される。膨張剤は物理的反応により膨張するものの方が、本発明実施後の撤去の際に流動体と分離が可能であり、取り扱い性に優れているからである。
【００３１】
また、前記第１の実施の形態で用いたバンド２の他に、例えばワイヤーのような、他のどのような紐状物もしくは帯状物を用いてもよい。
【００３２】
また、前記第１の実施の形態ではバンド２の両端部が堤防８の天端面にアンカー杭１により固定されていたが、筒状織布５の海や河川等の側と反対側に、筒状織布５が海や河川等の側と反対側に押し流されるのを抑止する抑止用杭を、筒状織布５の長さ方向に適当間隔をおいて複数本打ち込んでもよい。
【００３３】
また、前記第２の実施の形態では筒状織布５の内周面にシリコンゴム等からなるライニング４（水密層）を施したが、筒状織布５に形成する水密層は、筒状織布５内に薄膜のプラスチックスチューブを挿入して形成しても良いし、筒状織布５の外面にゴムまたはプラスチックスからなる皮膜層を、押出しやコーティングにより形成した後に、内外面を裏返すことにより、筒状織布５の内面側に皮膜層を配置させても良い。
【００３４】
また、前記実施の形態では筒状織布５内に水を入れる場合について説明したが、水に限定する必要はなく、筒状織布５内には他のどのような液体を入れてもよい。
【００３５】
【発明の効果】
以上説明したように、本発明によれば、円筒状に膨張したり帯状に潰れたりできる可撓性を有する筒状部材を用いて、まず、帯状に潰れた状態の筒状部材を海や河川の堤防の天端面上に沿って連続して設け、この筒状部材の両端部を閉止し内部に液体を注入して円筒状に膨張した状態にすることにより遮水壁構造を構築することができる。このため、遮水壁構造を迅速にかつ小人数で構築でき、さらには水漏れや崩壊が生じることのない遮水壁構造を連続して構築することができる。
【００３６】
すなわち本発明は、筒状部材の内部に液体を注入して、筒状部材を膨張させ、連続した遮水壁構造を堤防の天端面上に構築し、洪水時の越水防止や浸水防止するものである。筒状部材はリール等に巻き付けて運搬可能であることから、小型トラックであってもかなりの長さを運搬できる。したがって、従来搬入困難な場所でも迅速に遮水壁構造を構築することができる。
【００３７】
また、筒状部材は軽量で柔軟な合成繊維や合成樹脂等で構成されており、かつ遮水壁構造を構築するために筒状部材を堤防の天端面上に設置し、筒状部材の両端部に閉止金具を取り付けてポンプと接続し、必要に応じて筒状部材を固定する作業を実施すればよいことから、現場での取り扱いが容易であり、従来に比べて人手を大幅に削減することができる。
【００３８】
また、筒状部材は柔軟であり、液体注入により膨張した後でも、堤防の天端面の形状に良く馴染み、水漏れを防止することができる。
【００３９】
また、筒状部材そのものがかなりの長さを有するもの、また筒状部材の口径が大きいものを使用することで、堤防の天端面には連続したかなりの長さと高さを有する遮水壁構造を構築することができ、従来の土嚢のように相互間に隙間が生じることがない。したがって、水漏れが生じることがなく、また水圧に対しても一体物であることからかなりの抵抗力を有する。
【００４０】
また、筒状部材の長さは有限であるが、遮水壁構造がそれよりも長いものを必要とする場合においても、ニップル形状の接続用金具で連結することで、容易に連続した長尺の遮水壁構造を構築することができる。
【００４１】
さらに遮水シート部材を用いることで、堤防の天端面が凹凸形状であっても、筒状部材と堤防の天端面との間からの水漏れを確実に防止することができると共に、筒状部材の変形や移動を防止することもできる。
【図面の簡単な説明】
【図１】筒状織布５の内部に水吸収高分子材を含んだ保持材６を入れてそれに水７を吸収させ保水させることにより筒状織布５を膨張させて構築した遮水壁構造を示す断面図である。
【図２】筒状織布５の両端を閉塞し注水により筒状織布５を膨張させて遮水壁構造を構築しているときの側面図である。
【図３】遮水壁構造に水圧９が作用して遮水シート部材３が伸張し張力が作用しているときの遮水壁構造を示す断面図である。
【図４】筒状織布５内部にゴムライニングを施して注水し筒状織布５を膨張させて構築した場合の遮水壁構造を示す断面図である。
【符号の説明】
１  アンカー杭
２  バンド
３  遮水シート部材
４  ライニング
５  筒状織布
６  保持材
７  水
８  堤防
９  水圧
１０  水位
１１  注水口
１２  空気抜き口
１３  バルブ
１４  注水蓋
１５  締め付け金具
１６  接続金具
【図１】
0003718694.tif 000002
【図２】
0003718694.tif 000003
【図３】
0003718694.tif 000004
【図４】
0003718694.tif 000005